(57)【要約】【課題】  原稿の両面を同時に読み込み、表裏と順に送信することができる装置において、済みスタンプ装置が表面用しかなく、表面しか済みスタンプが押せない場合、後で原稿を見て裏面を送信したかどうか確認する方法がなかった。【解決手段】  両面同時読み込み手段を持ち、片面にしか済みスタンプ３１３を設置していない送信装置において、両面同時に読み込んだ時、２個の済みスタンプを押すことで、両面の送信が完了したことを通知する。  さらに、両面同時読み込みする前に、両面同時読みしても一方の面だけに済みスタンプ３１３を押すか、一方の面に済みスタンプ３１３を押しながら両面同時読みした後、原稿を反転させて反対の面にも済みスタンプ３１３を押すかを選択可能にする操作部画面を出し、ユーザーに選択可能にする。【選択図】  図１
2008160341.tif 000002
【特許請求の範囲】
【請求項１】
両面同時読み込み手段を持ち、片面にしか済みスタンプを設置していない装置において、両面同時に読み込んだ時、２個の済みスタンプを押すことで、両面の送信が完了したことを通知することを特徴とした送信装置。
【請求項２】
請求項１において、両面同時読み込みする前に、両面同時読みしても一方の面だけに済みスタンプを押すか、一方の面に済みスタンプを押しながら両面同時読みした後、原稿を反転させて反対の面にも済みスタンプを押すかを選択可能にする操作部画面を出し、ユーザーに選択可能にすることを特徴とした送信装置。
【発明の詳細な説明】
【技術分野】
【０００１】
本発明は、両面を同時に読み込むことができる原稿読み込み装置を持つが、片面しか済スタンプ装置を持っていない送信装置に関するものである。
【背景技術】
【０００２】
従来は、両面原稿の両面を読み取る際は、両面原稿を反転して片面ずつ読み込むことが一般的であった。その際、済スタンプは、読み込んだ側に押すことができた。例えば、特許文献１参照。
【特許文献１】特開平１０−３０４１３１号公報
【発明の開示】
【発明が解決しようとする課題】
【０００３】
原稿の両面を同時に読み込み、表裏と順に送信することができる装置において、済みスタンプ装置が表面用しかなく、表面しか済みスタンプが押せない場合、後で原稿を見て裏面を送信したかどうか確認する方法がなかった。
【課題を解決するための手段】
【０００４】
両面同時読み込み手段を持ち、片面にしか済みスタンプを設置していない送信装置において、両面同時に読み込んだ時、２個の済みスタンプを押すことで、両面の送信が完了したことを通知する。
【０００５】
両面同時読み込みする前に、両面同時読みしても一方の面だけに済みスタンプを押すか、一方の面に済みスタンプを押しながら両面同時読みした後、原稿を反転させて反対の面にも済みスタンプを押すかを選択可能にする操作部画面を出す。その選択画面をユーザーに選択可能にする。
【発明の効果】
【０００６】
両面同時読み込みは高速に読み込みを行うことができるが、表面にしか済みスタンプを押せなかった。しかし、表面に２個押すことで、裏面も送信したと判断してもらうことができる。また、表面に済スタンプを押した後、反転して裏面にも済みスタンプを押す判断をユーザに選択させることもでき、ユーザの選択の幅が広がる。
【発明を実施するための最良の形態】
【０００７】
（第１の実施の形態）
図１は、第１の実施の形態の構成の断面図である。以下、構成および動作について説明する。
【０００８】
原稿給送装置１０１の積載トレイ３０１上にフェイスアップの状態で積載された原稿は、１枚ずつ順次プラテンガラス１０２上に搬送される。積載トレイ３０１には原稿給送時原稿が斜行することがないように原稿の給送方向に原稿の幅方向に規制する幅方向規制版が設けられ原稿の給送方向に対して垂直にスライド移動する。
【０００９】
まず、積載トレイ３０１上の原稿束を片面読み取りする場合について説明する。半月ローラ３０３によって原稿束の最下部から一枚づつ下分離され、分離された原稿は搬送ローラ３０５及び全面ベルト３０６によりプラテンガラス１０２の露光位置まで搬送され、その後に画像読み取りが開始される。画像読み取り終了後はプラテンガラス１０２上の原稿は搬送ローラ３０７と排紙ローラ３０８により再び原稿束の最上面に戻される。
【００１０】
また、両面原稿時には、半月ローラ３０３によって原稿束の最下部から一枚ずつ下分離され、分離された原稿は、両面同時読み込みＣＣＤ３０４によって表裏の画像を同時に読み込む。
【００１１】
原稿の表裏を反転する場合は、原稿をいったん画像読み取り位置に導き、回動可能な切り換えフラッパ３１１を上側に切り換える。その後、原稿の先端をフラッパ３１１によって形成されたパスに導き、搬送ローラ３０５と全面ベルト３０６でプラテンガラス１０２上に原稿を搬送させる。すなわち、搬送ローラ３０７の回転により原稿の反転が実行される構成となっている。
【００１２】
また、済スタンプ３１３は原稿が通過する時、原稿にスタンプ部を押す構成となっている。
【００１３】
原稿がプラテンガラス１０２の所定の位置に搬送されると、スキャナ部のランプ１０３が点灯し、かつスキャナ・ユニット１０４が移動して原稿を照射する。原稿の反射光は、ミラー１０５，１０６，１０７，レンズ１０８を介してＣＣＤイメージ・センサ（以下、「ＣＣＤ」という）１０９に入力する。
【００１４】
また、画像処理部１１０では、操作部で設定された画像処理が施される。また、画像メモリを有し、画像の出力方向を回転する機能も備えている。なお、画像処理部１１０の外部切り換え回路は、リーダ部１からの信号をプリンタ部２または送信装置３へ切り換えるセレクタ１１を備えており、リーダ部１からの信号と、送信装置３からの信号のいずれかを選択してプリンタ部２に接続する機能も備えている。
【００１５】
また、画像処理部１１０の外部切り換え回路にて、プリンタ部２へ接続された電気信号は、露光制御部２０１にて変調された光信号に変換されて感光体２０２を照射する。照射光によって感光体２０２上に作られた潜像は、現像器２０３によって現像される。上記潜像の先端とタイミングを合わせてシート積載部２０４またはシート積載部２０５よりシートが搬送され、転写部２０６において、上記現像された像が転写される。転写された像は定着部２０７にてシート上に定着された後、排紙部２０８より装置外部に排出される。
【００１６】
排紙部２０８から出力されたシートは、ステイプルソータ４００に入る。
【００１７】
ステイプルソーター４００は２０ビンの固定トレイ４１２を有し、丁合を行う。
【００１８】
ソートモードの場合には、複写済みシートは、本体の排紙部２０８から順次排出する。シートはソータ４００の搬送ローラ４０１に入り、搬送パス４０３を通って排出ローラ４０５を介してトレイ４１２の各ビンに排出される度ごとに、ビンシフトモータ（図示せず）により、各ビンを上下に移動させて丁合を行っていく。また、ステイプルモードが選択されて、プリンタ部からステイプル信号が入力すると、ピンシフトモータで１ビンづつ移動させながらステイプル装置４２０が各ビンのシートをステイプルして行く。
【００１９】
続いて、順次読み込む画像を１枚のシートの両面に出力する方法について説明する。
【００２０】
定着部２０７で定着されたシートを、一度、排紙部２０８まで搬送した後、シートの搬送向きを反転して、搬送方向切り換え部材２０９を介して再給紙シート積載部２１０へ搬送する。次の原稿が準備されると、上記プロセスと同様にして原稿画像が読み取られるがシートについては再給紙シート積載部２１０より給紙されるので、結局、同一シートの表面、裏面に２枚の原稿画像を出力することができる。
【００２１】
また、シートを反転して排紙する方法について説明する。
【００２２】
定着部２０７で定着されたシートを、一度搬送方向切り換え部材２０９を上方へ揺動させておくことでシートを反転ローラ２１１に搬送し、シートが搬送方向切り換え部材２０９を抜けた後、反転ローラ２１１を逆方向に回転させ、排紙部２０８まで搬送する。フェイスアップに原稿を載置し、上分離で原稿搬送装置から給送された原稿のコピーの時は、原稿がコピーされたシートの頁順が逆にならないようコピーされたシートはこのようにして排紙される。
【００２３】
次に、実施手順を図２のフローチャートを用いて説明する。
【００２４】
ステップ１からスタートする。
【００２５】
ステップ２において、原稿両面読み込みモードであるかを判定する。そうでない場合は、ステップ９８にて終了する。原稿両面読み込みモードである場合は、ステップ３に進む。
【００２６】
ステップ３において、済スタンプを押すモードかどうかを判定する。そうでない場合は、ステップ９８にて終了する。済スタンプを押すモードである場合は、ステップ４に進む。
【００２７】
ステップ４において、スタートキーが押されるかを判定する。押されていない場合は、ステップ４に戻り、再度チェックする。押された場合は、ステップ５に進む。
【００２８】
ステップ５では、操作部の表示画面に、「片面にのみ済スタンプを押す」もしくは「両面に済スタンプを押す」を選択させる表示をする。そして選択ボタンによってどちらかを選択させる。次にステップ６に進む。
【００２９】
ステップ６ではステップ５での選択ボタンが押されたかを判定する。待ち状態の場合は、ステップ６に戻る。押された場合は、ステップ７に進む。
【００３０】
ステップ７ではステップ６において、どちらが入力されたかを判定する。「片面にのみ済スタンプを押す」を選択した場合は、ステップ８に進む。「両面に済スタンプを押す」を選択した場合は、ステップ９に進む。
【００３１】
ステップ８では、片面にのみ済スタンプを押しながら、両面同時読み込みをする動作を行う。
【００３２】
ステップ９では、表面に済スタンプを押しながら、両面同時読み込みを行い、さらに原稿を反転して裏面にも済スタンプを押す動作を行う。
【００３３】
ステップ８、ステップ９が終了するとステップ９９に進み、終了する。
【図面の簡単な説明】
【００３４】
【図１】実施例の断面図
【図２】実施例のフローチャート
【符号の説明】
【００３５】
３０４  両面同時読み込みＣＣＤ
３１３  済スタンプ
【図１】
2008160341.tif 000003
【図２】
2008160341.tif 000004